(57)【特許請求の範囲】
【請求項１】
バーマガジンからレース装置に供給すべきバーを支持及び心決めする装置であって、両側の端部を第１支持素子（１２）及び第２支持素子（１３）によって支持される複数個のロッド（１１）を具え、これら複数個のロッドの内部に前記バーのための通路（１９）を画定し、支持素子（１２，１３）相互を通路軸線（３６）の周りに相対的に回転可能にし、前記通路軸線に対して前記ロッド（１１）を傾斜させ、前記通路の横方向寸法を変化させる構成とした該バー支持及び心決め装置において、前記支持素子（１２，１３）を互いの方向に押圧するばね手段を設けたことを特徴とするバー支持及び心決め装置。
【請求項２】
前記支持素子を、前記通路軸線に一致する軸線を有する１対のリング（１２，１３）により構成した請求項１記載のバー支持及び心決め装置。
【請求項３】
前記支持素子（１２，１３）及び前記ロッド（１１）を前記通路軸線に一致する軸線を有しかつ前記通路（１９）の延長部分を形成する孔を形成した第１端部スリーブ（１６）及び第２端部スリーブ（１７）、これらのスリーブ間の円筒形壁（１８）により形成した円筒形エンベロープ内に保持した請求項１記載のバー支持及び心決め装置。
【請求項４】
前記第１支持素子（１２）を前記第１端部スリーブ（１６）に相対角度位置を調整する調整手段（２２）を介して固着した請求項３記載のバー支持及び心決め装置。
【請求項５】
前記調整手段を、前記第１端部スリーブ（１６）の周りで回転しかつ前記通路軸線に平行に延びるピン（２６）を支持するリングナット（２２）により構成し、前記ピン（２６）を第１支持素子（１２）に嵌合しまた前記リングナット（２２）と一体に回転するようにし、これにより、前記ピン（２６）が前記リングナットに対して軸線方向に摺動できるようにした請求項４記載のバー支持及び心決め装置。
【請求項６】
第２支持素子（１３）を、第１支持素子（１２）に向けて押圧するばねスラスト手段（３３）を介して第２端部スリーブ（１７）に連結した請求項３記載のバー支持及び心決め装置。
【請求項７】
前記ばねスラスト手段の予負荷を調整する予負荷調整手段（３４）を設けた請求項６記載のバー支持及び心決め装置。
【請求項８】
前記予負荷調整手段を、第２端部スリーブ（１７）内で軸線の周りに回転自在のリングナット（３４）により構成し、このリングナット（３４）のねじ込みによってばねの形式のばねスラスト手段（３３）の支持体（３５）を軸線方向に移動する請求項７記載のバー支持及び心決め装置。
【請求項９】
前記第２支持素子（１３）を前記円筒形壁（１８）の溝（３２）内で摺動する半径方向ピン（３１）に連結し、前記第２支持素子（１３）の軸線方向の摺動の際に前記第２支持素子の回転を生ずるようにした請求項４記載のバー支持及び心決め装置。
【請求項１０】
前記第１端部スリーブ及び前記第２端部スリーブの周囲に、マガジンに対して支持するとともにマガジンに対して自由に回転自在にするための軸受（２０，２１）を設けた請求項３記載のバー支持及び心決め装置。
【請求項１１】
バーを軸線方向に押し出すようプッシャ（３７）が通過することができるバーのための少なくとも１個の摺動通路を具えるレース装置用バーマガジンであって、前記摺動通路にバーのためのバー支持及び心決め装置（１０）を設け、前記バー支持及び心決め装置（１０）は複数個のロッド（１１）を有し、これらのロッドの両側の端部をそれぞれ互いに対向する第１支持素子（１２）及び第２支持素子（１３）により支持し、これらの複数個のロッドの内部にバーを案内するため前記摺動通路に同軸状のバー案内通路（１９）を画定するようロッドを配置し、前記支持素子は前記バー案内通路軸線の周りに互いに回転して前記バー案内通路軸線に対してロッドが傾斜し、所要に応じて前記バー案内通路の横方向寸法を変化することができる構成とした該レース装置用バーマガジンにおいて、前記支持素子（１２，１３）を互いの方向にばね押圧し、前記バー案内通路に前記プッシャ（３７）を導入する際に前記バー案内通路が拡開する方向に前記ロッドが回転することができるようにしたことを特徴とするレース装置用バーマガジン。
【発明の詳細な説明】
【０００１】
【発明の属する技術分野】
本発明は、レース（旋盤）装置と連動する自動マガジンにおける高速回転するバーを心決めする調整装置、及びこのような装置に使用するマガジンに関するものである。
【０００２】
【従来の技術】
既知の技術において、バーをレースマンドレルに順次装填して送りを行う自動マガジンはよく知られている。これらのマガジンはシングルマンドレルレース又はマルチマンドレルレースに供給するタイプがある。
【０００３】
【発明が解決しようとする課題】
これらマガジンの大きな問題の一つとしては、いかに高速又は超高速でバーに振動を発生することなくバーを自由に回転することができるかであった。この問題の解決は、供給すべきバーの直径が極めて広範囲に変動し、レースにバーを押し進めるプッシャが供給されるバーよりも大きい固定の直径であるという事実によって一層困難である。
【０００４】
既知の技術においては、バー経路に沿って延びる案内を有し、この案内を例えば、複数個の周方向に整列する複数個のセグメントにより円筒形のダクトを形成し、このダクト内でバー及び関連のプッシャを通過させるマガジンが提案された。円筒形のダクトはプッシャと同一の直径を有し、このプッシャが通過することができる。従って、案内に供給されるバーの側方のクリアランスが極めて大きいことになる。
【０００５】
バーは先導端部をレースマンドレルにより、また尾端部をプッシャクランプ（後の段階で円筒形ダクトによって案内される）によって支持されるため、先導端部のポイントと尾端部のポイントとの間の距離が大きいときは、バーは曲がり易く、またバーの高速回転による発生する振動がレースに影響を及ぼし、従って、レース自体の動作を損なうことになる。
【０００６】
従って、本発明の目的は、使用されるバーの直径に基づいて容易に調整することができ、バーの中間のポイントで効率よく支持することができ、また発生する振動を減衰するとともに、より大きい直径のプッシャも通過させることができるバー支持及び心決め装置を得るにある。更に、本発明の目的は、このような装置を使用するマガジンを得るにある。
【０００７】
【課題を解決するための手段】
この目的を達成するため、本発明は、バーマガジンからレースに供給すべきバーを支持及び心決めする装置であって、両側の端部を第１支持素子及び第２支持素子によって支持される複数個のロッドを具え、これら複数個のロッドの内部に前記バーのための通路を画定し、支持素子相互を通路軸線の周りに相対的に回転可能にし、前記通路軸線に対して前記ロッドを傾斜させ、前記通路の横方向寸法を変化させる構成とした該バー支持及び心決め装置において、前記支持素子を互いの方向に押圧するばね手段を設けたことを特徴とすることを特徴とする。
【０００８】
更に、本発明は、バーを軸線方向に押し出すようプッシャが通過することができるバーのための少なくとも１個の摺動通路を具えるレース装置用バーマガジンであって、前記摺動通路にバーのための支持及び心決め装置を設け、前記支持及び心決め装置は複数個のロッドを有し、これらのロッドの両側の端部をそれぞれ互いに対向する第１支持素子及び第２支持素子により支持し、これらの複数個のロッドの内部にバーを案内するため前記摺動通路に同軸状のバー案内通路を画定するようロッドを配置し、前記支持素子は前記バー案内通路軸線の周りに互いに回転して前記バー案内通路軸線に対してロッドが傾斜し、所要に応じて前記バー案内通路の横方向寸法を変化することができる構成とした該レース装置用バーマガジンにおいて、前記支持素子を互いの方向にばね押圧し、前記バー案内通路に前記プッシャを導入する際に前記バー案内通路が拡開する方向に前記ロッドが回転することができるようにしたことを特徴とする。
【０００９】
【発明の実施の形態】
次に、図面につき本発明の好適な実施の形態を説明する。以下の実施の形態は単に例示にすぎず、この実施の形態に限定することなく請求の範囲において種々の変更を加えることができること勿論である。
【００１０】
本発明によるバー支持及び心決め装置１０を図１に示す。このバー支持及び心決め装置１０はロッド１１を有し、これらのロッド１１の端部は２個の互いに同軸状に配置したリング１２，１３によって等間隔の関係を保持するよう連結され、１個のバーのための通過チャンネルを画定する。ロッドの端部はリングの平面に対して傾斜し、またリングが共通軸線の周りに互いに相対回転可能にする。リングが回転する際に、ロッドは、図１から明らかなようにリング自体によって底面が画定される仮想円筒形の母線に対して傾斜する。このようにして、リング間の通過チャンネル軸線に直交する平面において、傾斜ロッドは、これらのロッドによる包囲エンベロープにより円形通路を画定し、この円形通路の直径はリングの相対回転に依存する。
【００１１】
図２に示すように、バー支持及び心決め装置１０はマガジン１５内のバー１４の供給経路又は通路に軸線方向に整列して自由に回転するよう支持する。バーはプッシャ３７によって経路に沿って移動する。シングルマンドレルタイプ又はマルチマンドレルタイプのマガジンは既知の技術のレース（旋盤）のためのものであり、本明細書では詳細には説明しない。マルチマンドレルタイプのレースに関する限り、１個のバーを供給するための各チャンネルが本発明によるバー支持及び心決め装置を有するものとする。
【００１２】
供給経路に沿う心決め装置の位置は、バーの曲がりを最小にし、かつレースとプッシャとの間の中間位置でバーを支持し、バーの端部でのみ保持した場合に発生する容認しがたい振動を発生する長さをバーが有するときの振動を最小にするようにする。
【００１３】
図示の実施例のバー支持及び心決め装置によれば、マガジン構体に容易かつ安全に固定することができるとともに、バー支持及び心決め装置自体が自由に回転して供給されるバーの直径に基づいて通路チャンネルの直径を調整し、また弾性的な反作用を生じて振動を減衰しかつ供給されるバーの直径よりも大きい直径のプッシャも通過することができる。
【００１４】
図３に明示するように、バー支持及び心決め装置は２個の端部スリーブ１６，１７を有し、これらの端部スリーブ１６，１７を円筒形の壁即ち、チューブ１８によって一体に連結し、円筒形キャビティ２８を画定するシリンダを形成し、この円筒形キャビティ２８内にロッド１１により連結したリング１２，１３を収容する。バー支持及び心決め装置には支持すべきバーの開放した通路１９を設け、この通路１９はスリーブ１６をバー入口とし、スリーブ１７をバー出口とする。通路１９の直径は、供給される最大のバーの直径よりもまたマガジンのプッシャの直径よりも大きい直径とする。
【００１５】
スリーブ１６，１７は軸受２０，２１を介してマガジンにおける支持体に取り付け、バー支持及び心決め装置全体が中心軸線３６の周りに自由に回転できるようにする。
【００１６】
スリーブ１６の周縁に調整リングナット２２を回転自在に支持し、この調整リングナット２２の回転はスリーブ１６内の空所２５内のスライダ２４に掛合するねじ２３によってロックすることができる。リングナット２２にピン２６を心決め装置の軸線に平行に固定し、これらピン２６をスリーブ１６内の周方向溝孔２７に通過させかつ円筒形キャビティ２８に進入させる。ピン２６は、リング１２がリング自体の周方向に配置した溝孔２９によって軸線方向に移動できる案内として作用する。
【００１７】
反対側のスリーブ１７を案内リングナット３０に連結し、この案内リングナット３０は、円筒形壁即ちチューブ１８に設けた溝３２内で摺動するよう半径方向に突出するピン３１を有する。溝３２は、案内リングナット３０が軸線方向に移動する際に案内リングナットがチューブに対して回転する形状に形成する。特に、２個のリング１２，１３が互いに離れる方向にリングナットが摺動する際には回転によってロッドの傾斜が減少し、従って、ロッドによって画定される通路部分が増大する。
【００１８】
案内リングナット３０とスリーブ１７との間には、リング１３をリング１２に向けて押圧する軸線方向スラストばね３３を設け、傾斜したロッドにより画定される通路を閉じるための弾性手段とする。ばね圧縮又はばね予負荷を調整する手段を設け、リングが互いに離れる方向に移動するようリングに力を与え、ロッドにより画定される通路を拡大するようにすることもできる。
【００１９】
この調整手段は例えば、操作リングナット３４により形成し、スリーブ１７にねじ込みまたばねの支持体をなすリング３５を手動で回転することができるようにする。
【００２０】
使用にあたり、バー支持及び心決め装置はリングナット２２を調整し、供給すべきバーの直径に適合するロッド間通路となるようロッドを傾斜させる。必要であれば、バー支持及び心決め装置を通過するバーをロッドによって保持する弾性力を操作リングナット３４を操作して調整することができる。バーを供給する間、マガジンのプッシャはバーを移動し続け、先ずバー支持及び心決め装置１０内に導入し、次にレースマンドレルに供給する。バー支持及び心決め装置１０は中間位置でバーの側面を支持して案内する。バーとバー支持及び心決め装置１０との間の休止ポイントはバーの円筒形状と互いに傾斜した軸線との交点によって与えられる。従って、バーは極めてスムーズにロッドで画定される通路内を通過することができる。更に、これにより優れた心決め作用を行いかつバーの振動を減衰する。
【００２１】
レースの異なる機械加工作業中、プッシャはバー支持及び心決め装置１０にバーを順送りし続ける。プッシャヘッドがバー支持及び心決め装置１０に達したとき、プッシャは通路１９内に貫入し、ロッドによって生ずる通路の最小直径ポイントにおいて、傾斜したロッド１１に圧力を与える。このようにして加わるスラスト力はばね３３の反作用に打ち勝ち、この結果、ロッドを真っ直ぐにし、リング１３を回転させ、リング１２から遠ざける方向に移動する。このようにしてプッシャはレースに向かって移動を続け、このときプッシャはバーとは異なる直径であるにも係わらずバー支持及び心決め装置１０によって完全に支持される。
【００２２】
【発明の効果】
この点において、バーの完全な弾性支持と、異なる直径のプッシャの通過及び支持を行うことによって上記目的が達成されることは明らかである。本発明による革新的な原理を採り入れた上述の実施例は単に例示に過ぎず、本発明の請求の範囲を限定するものではない。例えば、バー支持及び心決め装置の外側構造及び異なる部分間の比例関係は実際上の必要に応じて変化させることができ、また閉じたロッド間の通路を維持する弾性力に調整を異なる方法によって行うこともでき、又はこの弾性力をなくすこともできる。更に、軸線方向の弾性力の代わりに、直接リングを回転させる弾性力を付与することもでき、ばねスラスト手段も変更することができ、このことは当業者であれば容易になしうるであろう。ロッド１１は、スムーズな移動と耐磨耗性の点で有利な特徴を有するように、供給すべきバーの材料に基づいてスチール又はプラスチック材料（例えば、テフロン）により形成することができる。
【図面の簡単な説明】
【図１】本発明によるバー支持及び心決め装置の一部断面とする斜視図である。
【図２】図１に示したバー支持及び心決め装置を採用したバーマガジンの一部断面とする側面図である。
【図３】図１のバー支持及び心決め装置の部分断面図である。
【図４】図３のIV-IV 線上の断面図である。
【符号の説明】
10  バー支持及び心決め装置
11  ロッド
12,13 リング
14  バー
15  マガジン
37  プッシャ
16,17 端部スリーブ
18  チューブ
28  円筒形キャビティ
19  通路
20,21 軸受
36  中心軸線
22  調整リングナット
25  空所
24  スライダ
23  ねじ
26  ピン
27  周方向溝孔
28  円筒形キャビティ
29  溝孔
30  案内リングナット
32  溝
31  ピン
33  軸線方向スラストばね
34  操作リングナット
35  リング
【図１】
0003984330.tif 000002
【図２】
0003984330.tif 000003
【図３】
0003984330.tif 000004
【図４】
0003984330.tif 000005